(57)【要約】【課題】  アナログ回線の断線検知機能を備えたボタン電話主装置とボタン電話機からなるボタン電話装置を、安価に実現する。【解決手段】  アナログ回線状態制御手段１１１と、発着信衝突防止手段１１２と、データ送受信手段１１３と、アナログ回線の極性が反転極性から通常極性に変化すると断線であると判定する断線検知手段１１４と、断線を検知すると断線検知情報を外部に通知する断線通知手段１１５とを有する中央制御部１１を備え、アナログ回線に逆極性に接続された外線回路部１３と、内線回路部１５と、記憶部１６と、断線表示器１７と、断線通知部１８を備えたボタン電話主装置。【選択図】      図３
2005150778.tif 000002
【特許請求の範囲】
【請求項１】
１以上のアナログ回線および複数の内線を有し前記アナログ回線を無極性で接続できる機能を備えたボタン電話主装置と、前記内線に接続される複数のボタン電話機とからなるボタン電話装置において、
ボタン電話主装置が、前記アナログ回線の極性を検出しアナログ回線の通常極性である通常極性情報または反転極性である反転極性情報を出力する極性検出回路と、
該極性検出回路を前記アナログ回線の待機時の接続極性を初期から逆極性で接続したとき、前記極性検出回路が出力する極性情報が反転極性情報から通常極性情報に変化したことを検出すると前記アナログ回線の断線であると判定する断線検知手段と、
該断線検知手段が前記アナログ回線の断線を検知すると断線検知情報を外部に通知する断線通知手段
を備えたことを特徴とするボタン電話装置。
【請求項２】
請求項１に記載のボタン電話装置において、
ボタン電話主装置がアナログ回線からの着信情報を検出する着信検出手段を備え、
前記断線検知手段が、前記極性検出回路が出力する極性情報が反転極性情報から通常極性情報に変化したことを検出してから所定時間内に着信情報を受信しないときに前記アナログ回線の断線と判断する
ことを特徴とするボタン電話装置。
【請求項３】
請求項１または請求項２記載のボタン電話装置において、
前記断線検知手段が前記アナログ回線の断線を検知すると断線検知情報を前記ボタン電話機に表示する機能
を備えたことを特徴とするボタン電話装置。
【請求項４】
請求項１ないし請求項３のいずれか１項に記載のボタン電話装置において、
前記断線検知手段が前記アナログ回線の断線を検知すると断線検知情報を前記ボタン電話主装置に表示する機能
を備えたことを特徴とするボタン電話装置。
【請求項５】
ボタン電話主装置と該ボタン電話主装置の内線に接続される複数のボタン電話機とからなるボタン電話装置を構成するボタン電話主装置において、
１以上のアナログ回線および複数の内線を有し前記アナログ回線を無極性で接続できる機能と、
前記アナログ回線の極性を検出しアナログ回線の通常極性である通常極性情報または反転極性である反転極性情報を出力する極性検出回路と、
該極性検出回路を前記アナログ回線の待機時の接続極性を初期から逆極性で接続したとき、前記極性検出回路が出力する極性情報が反転極性情報から通常極性情報に変化したことを検出すると前記アナログ回線の断線であると判定する断線検知手段と、
該断線検知手段が前記アナログ回線の断線を検知すると断線検知情報を外部に通知する断線通知手段
を備えたことを特徴とするボタン電話主装置。
【請求項６】
請求項５に記載のボタン電話主装置において、
アナログ回線からの着信情報を検出する着信検出手段を備え、
前記断線検知手段が、前記極性検出回路が出力する極性情報が反転極性情報から通常極性情報に変化したことを検出してから所定時間内に着信情報を受信しないときに前記アナログ回線の断線と判断する
ことを特徴とするボタン電話主装置。
【請求項７】
請求項５または請求項６記載のボタン電話主装置において、
前記断線検知手段が前記アナログ回線の断線を検知すると断線検知情報を前記ボタン電話機に通知する機能
を備えたことを特徴とするボタン電話主装置。
【請求項８】
請求項５ないし請求項８のいずれか１項に記載のボタン電話主装置において、
前記断線検知手段が前記アナログ回線の断線を検知すると断線検知情報を表示する機能を備えたことを特徴とするボタン電話装置。
【請求項９】
１以上のアナログ回線および複数の内線を有し前記アナログ回線を無極性で接続できる機能を有するボタン電話主装置と該ボタン電話主装置の内線に接続される複数のボタン電話機とからなるボタン電話装置を構成するボタン電話機において、
前記ボタン電話主装置から送られてきた断線検知情報を表示する表示機能を
を備えたことを特徴とするボタン電話機。
【発明の詳細な説明】
【技術分野】
【０００１】
本発明は、公衆網のアナログ回線の断線検知機能を備えたボタン電話装置に関する。
【背景技術】
【０００２】
公衆網のアナログ回線は、１対（２線）の配線で提供され、この１対の配線からなる２線の片方をＬ１線、もう片方をＬ２線と呼称し、アナログ回線が待機状態のときには、Ｌ１線に電池（−４８Ｖ）が供給され、Ｌ２線に地気（アース）が供給される。そして、着信状態になると、Ｌ１線に地気が供給され、Ｌ２線に電池が供給される極性が反転した極性反転状態とされ、その後、呼出信号が送出される。
【０００３】
アナログ回線を収容するボタン電話主装置は、アナログ回線が、待機状態（Ｌ１線：電池、Ｌ２線：地気）から極性反転状態（Ｌ１線：地気、Ｌ２線：電池）に変化したことを検出し、続いて、呼出信号（着信情報）が送出されたことを検出することにより着信を検出している。また、該アナログ回線の極性反転状態を検出すると、呼出信号が送出される前に該アナログ回線を用いた発信を禁止し、発信と着信の衝突を防止する発着信衝突防止処理を行っている。
【０００４】
次に、アナログ回線の極性を検出する極性検出回路を備えた外線回路部の構成について図５を用いて説明する。図５は、ボタン電話主装置に設けられ、公衆網のアナログ回線を収容する外線回路部１３の構成の詳細を示すブロック図である。
【０００５】
図５において、外線回路部１３は、Ｉ／Ｆ（ハイウェイインターフェース回路）１３１と、ＣＯＤＥＣ（コーデック回路）１３２と、２線／４線変換部１３３と、発信／着信回路１３４と、極性検出回路１３５、アナログ回線端子Ｔ１１，Ｔ１２を備えて構成され、アナログ回線の極性を検出する極性検出回路１３５が、アナログ回線の２線（Ｌ１線、Ｌ２線）間の極性を監視している。
【０００６】
極性検出回路１３５を有する外線回路部１３を用いてアナログ回線の極性を監視し、極性反転状態（Ｌ１線：地気、Ｌ２線：電池）が所定時間継続している場合、この極性を待機状態におけるアナログ回線の極性として記憶しておき、記憶されている状態からアナログ回線の極性が変化したことを検出する極性反転検出機能を備えることにより、設置工事において、該アナログ回線の極性を気にすることなく接続できるようにした、いわゆる、無極性接続を可能にする機能を有するボタン電話装置が一般的になってきた（例えば、特許文献１参照）。
【０００７】
一方、電話回線（前記した公衆網のアナログ回線に相当）等を利用して外部に自動通報する機能を有する非常警報装置において、接続されている電話回線が切断された場合（断線）、断線を検知すると自動的に電話回線以外の無線等を中継手段として外部へ通報する機能を有する非常警報装置がある。ただし、この非常警報装置は、電話回線の断線検知手段として、前記した極性検出回路とは異なり、アナログ回線の２線間の電圧を検出する回線電圧検出回路を備えている（例えば、特許文献２参照）。
【０００８】
また、最近では、ＡＤＳＬの普及によりアナログ回線の必要性についても再認識されるとともに、セキュリティ上の観点から非常警報装置と同様な機能を備えたボタン電話装置が提供されているが、アナログ回線の断線検知には、前記した回線電圧検出回路を備える必要があり、このような断線検知機能を組み込んだボタン電話装置は、断線検知機能を備えていないものより高価になるという問題がある。
【特許文献１】特開２００３−１１１１１５号公報
【特許文献２】特開平６−１３３０６７号公報
【発明の開示】
【発明が解決しようとする課題】
【０００９】
本発明が解決しようとする問題点は、アナログ回線の断線検知機能を備えたボタン電話装置を、安価に実現することである。
【課題を解決するための手段】
【００１０】
上記課題を解決するために、本発明のボタン電話装置は、１以上のアナログ回線および複数の内線を有し前記アナログ回線を無極性で接続できる機能を備えたボタン電話主装置と、前記内線に接続される複数のボタン電話機とからなるボタン電話装置において、ボタン電話主装置が、前記アナログ回線の極性を検出しアナログ回線の通常極性である通常極性情報または反転極性である反転極性情報を出力する極性検出回路と、該極性検出回路を前記アナログ回線の待機時の接続極性を初期から逆極性で接続したとき、前記極性検出回路が出力する極性情報が反転極性情報から通常極性情報に変化したことを検出すると前記アナログ回線の断線であると判定する断線検知手段と、該断線検知手段が前記アナログ回線の断線を検知すると断線検知情報を外部に通知する断線通知手段を備えた。
【００１１】
また、本発明は、上記ボタン電話装置において、前記ボタン電話主装置がアナログ回線からの着信情報を検出する着信検出手段を備え、前記断線検知手段が、前記極性検出回路が出力する極性情報が反転極性情報から通常極性情報に変化したことを検出してから所定時間内に着信情報を受信しないときに前記アナログ回線の断線と判断する。
【００１２】
さらに、本発明は、上記ボタン電話装置において、前記断線検知手段が前記アナログ回線の断線を検知すると断線検知情報を前記ボタン電話主装置および／または前記ボタン電話機に表示する機能を備えた。
【発明の効果】
【００１３】
本発明によれば、回線電圧検出回路を専用に備えることなく、極性検出回路を使用して断線検知機能付きボタン電話装置を安価に実現することができる。
【発明を実施するための最良の形態】
【００１４】
以下、本発明にかかる断線検知機能を有するボタン電主装置の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。また、ボタン電話装置ではなくて、構内交換装置で実施してもよく、この場合、明細書におけるボタン電話主装置は構内交換装置として解釈される。
【００１５】
図１は、本発明にかかるボタン電話装置を構成する１以上の外線および複数の内線を有するボタン電話主装置１０の構成概略図である。図２は、本発明にかかるボタン電話装置を構成する前記内線に接続されるボタン電話機２０の構成概略図である。図３は、本発明の中央制御部１１の機能ブロック図である。図４は、本発明のボタン電話主装置１０の中央制御部１１内の各手段における処理の概略フローチャートである。図５は、ボタン電話主装置１０の外線回路部１３の詳細構成図である。図６は、ボタン電話主装置１０の外線回路部１３における極性検出回路１３５の概略回路図である。
【００１６】
まず、図１を用いてボタン電話主装置１０の構成の概要を説明する。ボタン電話主装置１０は、中央制御部１１と、通話路スイッチ部１２と、１以上の外線回路部１３−１〜１３−ｎと、音声ガイダンス送出部１４と、複数の内線回路１５−１〜１５−ｎと、記憶部１６と、断線表示器１７と、断線通知部１８と、センサ検出部１９を有して構成される。ボタン電話主装置１０は、センサ検出部１９が例えば外部からの侵入者を検出すると、その旨を通知先に通報する非常警報装置としての働きを有することができる。
【００１７】
中央制御部１１は、ボタン電話主装置１０の各回路からの入力情報（ボタン電話機からの情報も含む）に対する解析や判断、記憶部１６に対する情報の入出力、各回路の制御を行う。
【００１８】
通話路スイッチ部１２は、ボタン電話主装置１０内のデジタル交換処理（外線と内線の接続、音声ガイダンスの外線への接続、他）を行う。
【００１９】
外線回路１３（１３−１〜１３−ｎ）は、アナログ回線に接続されるインターフェース回路であり、アナログ回線の極性を検出して通常極性である通常極性情報または反転極性である反転極性情報のいずれかの極性情報を出力する。
【００２０】
音声ガイダンス送出部１４は、センサ検出部１９がセンサの動作を検出し、外線を経由して通報を行うときに音声ガイダンスを送出するため、通話路スイッチ部１２を経由して外線回路部１３−１〜１３−ｎに接続される。
【００２１】
内線回路部１５（１５−１〜１５−ｎ）は、ボタン電話機２０−１〜２０−ｎと音声データ、制御データの通信を行うためのインターフェース回路である。
【００２２】
記憶部１６は、通常の記憶部としての働きの他に、待機状態におけるアナログ回線の極性の状態やセンサ検出時にセンサが異常を検出した旨を通報する通報先等も記憶しておく。
【００２３】
断線表示器１７は、ボタン電話主装置１０の表面の外部から見やすい箇所に設けられ、外線（アナログ回線）が断線したことを表示する。具体的にはＬＥＤ表示器を用いる。断線表示器１７は、ボタン電話主装置１０が図示を省略したＬＣＤなどの表示部を有しているときには、このＬＣＤ表示部の画面に断線を表示するようにしてもよい。
【００２４】
断線通知部１８は、情報処理装置等の外部機器と接続し、断線情報の通知を行う通信手段を有する。具体的にはＲＳ−２３２ＣやＵＳＢを用いる。断線通知部１８に接続される外部機器は、前記ボタン電話主装置１０が収容するアナログ回線以外の通信手段を介して通報先に断線情報を通報するようにしてもよい。
【００２５】
センサ検出部１９は、外部のセンサと接続し、センサの働きを検出する。接続できるセンサの種類としては、ドア開閉センサ、人体検知センサ等が市販されている。センサがドア開閉センサや人体検知センサであって監視状態におかれているときに、ドアの開閉や人体を検知すると、侵入者があることを検出する。
【００２６】
次に、図２を用いてボタン電話機２０の構成の概要を説明する。ボタン電話機２０は、制御部２１と、データ送受信回路２２と、音声処理部２３と、送受話器２４と、スピーカ２５と、ダイヤルキー２６と、外線キー２７と、機能キー２８と、ＬＣＤ表示器２９と、断線表示器３０を有して構成される。断線表示器３０は、独立した素子として設けてもよく、独立した素子として設けずにＬＣＤ表示器２９の画面に断線情報を表示するようにしてもよい。
【００２７】
制御部２１は、ボタン電話機２０内の各回路からの入力情報に対する解析や判断、各回路の制御を行い、データ送受信回路２２経由でボタン電話主装置１０から送信された表示情報の制御を行う。
【００２８】
データ送受信回路２２は、ボタン電話主装置１０の内線回路１５−１〜１５−ｎに接続され、音声データ、制御データの通信を行うためのインターフェース回路である。
【００２９】
音声処理部２３は、音声のデジタル／アナログ変換、アナログ／デジタル変換と、ボタン電話機２０内の送受話器２４やスピーカ２５等との通話路切替および音量を制御する。
【００３０】
送受話器２４は、一般的な通話時の送話、受話を行うためのハンドセットである。
【００３１】
スピーカ２５は、外線や内線の着信音送出や、スピーカによる拡声受話出力に使用する。
【００３２】
ダイヤルキー２６は、電話番号の入力に使用する。また、各種設定の入力手段としても用いられる。
【００３３】
外線キー２７は、複数ある外線から使用したい外線を選択するためのボタンである。
【００３４】
機能キー２８は、ボタン電話装置で一般的に使用する保留や、拡声受話、各種設定への移行等に用いられるボタンである。
【００３５】
ＬＣＤ表示器２９は、ボタン電話機から外線に発信したときの相手電話番号、通話時間表示、および着信時の発信者電話番号等が表示される。
【００３６】
断線表示器３０は、ボタン電話機２０の表面の外部から見やすい箇所に設けられ、ボタン電話主装置１０より送信される断線表示情報により、外線（アナログ回線）が断線したことを表示する。具体的にはＬＥＤ表示器を用いる。また、専用の表示器を設けず、ＬＣＤ表示器２９に断線を表示することでも実施可能である。
【００３７】
次に、図５を用いて、ボタン電話主装置１０の外線回路部１３の詳細な構成を説明する。前述のように、外線回路部１３は、Ｉ／Ｆ１３１と、ＣＯＤＥＣ１３２と、２線／４線変換部１３３と、発信／着信回路１３４と、極性検出回路１３５、アナログ回線端子Ｔ１１，Ｔ１２を有して構成される。
【００３８】
Ｉ／Ｆ１３１は、通話路スイッチ部１２とハイウェイを経由して接続されるインターフェース回路である。
【００３９】
ＣＯＤＥＣ１３２は、２線／４線変換部１３３からのアナログ信号をデジタル信号に変換してＩ／Ｆ１３１に送出し、また、Ｉ／Ｆ１３１からのデジタル信号をアナログ信号に変換して２線／４線変換部１３３に送出する。ＣＯＤＥＣ１３２は、中央制御部１１からのＣＯＤＥＣ制御情報によって制御される。
【００４０】
２線／４線変換部１３３は、２線形式の双方向通話路であるアナログ回線を、送信方向の２線、および受信方向の２線からなる４線形式の信号に変換する。
【００４１】
発信／着信回路１３４は、発信時にアナログ回線に対しループを形成するとともに、必要に応じてダイヤルパルスを出力し、また、着信時にアナログ回線から送出されてくる呼出信号を検出し、着信情報として中央制御部１１へ送出する。着信応答時にはアナログ回線に対してループを形成する。さらに、アナログ回線に対しループを形成している状態での極性反転検出も行う。
【００４２】
極性検出回路１３５は、アナログ回線の極性状態を監視して、極性情報を出力する。本発明においては、極性検出回路１３５は、通常の接続とは逆極性接続となるように端子Ｔ１２をアナログ回線のＬ１線に端子Ｔ１１をＬ２線に接続して、Ｌ１線が電池（−４８Ｖ）でＬ２線が地気（アース）のアナログ回線通常極性の状態（通常極性情報）であるか、または、Ｌ１線が地気（アース）でＬ２線が電池（−４８Ｖ）のアナログ回線反転極性の状態（反転極性情報）であるかの極性情報を中央制御部１１へ送出する。
【００４３】
アナログ回線に通常状態で接続された極性検出回路１３５における極性検出原理を、図６を用いて説明する。図６（ａ）は極性検出回路がアナログ回線Ｌ１線とＬ２線に通常状態で接続された図であり、図６（ｂ）は極性検出回路１３５がアナログ回線Ｌ１線とＬ２線に逆極性接続された図である。極性検出回路１３５は、バイパスダイオードＤと抵抗Ｒ１、Ｒ２と、フォトカプラＰＣと、電源を図示のように接続して構成され、フォトカプラＰＣのダイオードのコレクタＣを極性情報の出力端としている。図６（ａ）に示すように通常状態で接続された極性検出回路１３５は、アナログ回線通常極性の状態（Ｌ１線：−４８Ｖ、Ｌ２線：地気）の場合（待機時）は、電流はバイパスダイオード（Ｄ）側を流れるためフォトカプラ（ＰＣ）の受光側トランジスタはオフ状態となり＋５Ｖの極性情報（通常極性情報）を出力し、アナログ回線反転極性の状態（Ｌ１線：地気、Ｌ２線：−４８Ｖ）の場合（着信時）は、電流はＰＣの発光側ダイオードを流れるので、ＰＣの受光側トランジスタはオン状態となって地気の極性情報（反転極性情報）を出力する。
【００４４】
本発明は、外線回路部１３に備えた上記構成を有する極性検出回路１３５を、図６（ｂ）に示すようにアナログ回線のＬ１線をアナログ回線端子Ｔ１２に、アナログ回線のＬ２線をアナログ回線端子Ｔ１１に接続する逆極性接続となるようにアナログ回線に接続する。すなわち、本発明では、待機時の接続極性を初期から逆極性接続する。本発明では、極性検出回路１３５は、アナログ回線反転極性時（待機時）ではＰＣの受光側トランジスタがオン状態となり地気の極性情報（反転極性情報）を出力し、アナログ回線通常極性時（着信時）ではＰＣ受光側トランジスタがオフ状態となって＋５Ｖの極性情報（通常極性情報）を出力し、アナログ回線が断線した場合は電位がなくなり、ＰＣの発光側ダイオードが発光せず受光側トランジスタがオフ状態となって着信時と同じ＋５Ｖの極性情報を出力する。アナログ回線に逆極性接続された極性検出回路１３５は、アナログ回線通常極性時とアナログ回線断線時とでは同じ＋５Ｖの極性情報である通常極性情報を出力するので、通常極性情報に対してアナログ回線断線であると判定する手段を持つことで、断線検知機能を実現している。すなわち、通常極性情報があってから所定時間アナログ回線上に呼び出し信号を検出しないときアナログ回線断線と判断する。
【００４５】
次に、図３を用いて、本発明にかかるアナログ回線が逆極性接続されたボタン電話主装置１０における中央制御部１１内の機能構成の概要を説明する。図３は、本発明に関係する部分のみを図示してある。図３において、ボタン電話主装置１０の中央制御部１１は、アナログ回線状態制御手段１１１と、発着信衝突防止手段１１２と、データ送受信手段１１３と、断線検知手段１１４と、断線通知手段１１５と、着信検出手段１１６と、着信処理手段１１７とを有している。
【００４６】
アナログ回線状態制御手段１１１は、一定周期（例えば、１００ｍＳｅｃ）で起動され、外線回路部１３の極性検出回路１３５から送られてくる極性情報を監視してアナログ回線の極性状態を検出し、アナログ回線の極性状態の変化によって外線回路部１３の状態を移行させ、各種処理を行う手段である。アナログ回線状態制御手段１１１は、着信検出タイマと極性監視タイマを有している。アナログ回線状態制御手段１１１は、アナログ回線（外線）の状態が待機状態（外線待機中）に外線回路部１３からの極性情報に変化があるか否かを監視し、極性情報の変化があると、外線の状態を外線着信検出中状態（外着検出中）に移行させるとともに、着信検出タイマをセットする（呼出信号は、一般的に１秒オン／２秒オフの周期で送出されるため、着信検出タイマには、例えば４秒を使用する）。次に、アナログ回線状態制御手段１１１は、外線の状態が外着検出中に外線回路部１３の極性検出回路１３５からの極性情報を監視し、極性情報の変化があると着信の途中放棄と判断し、外線の状態を外線待機中に移行させる。外着検出中に極性情報の変化がないときは、アナログ回線状態制御手段１１１は、着信検出タイマをマイナス１してタイムアウトしたかを判定し、タイムアウトした場合は呼出信号（着信情報）が検出できなかったと判定し、外線の状態を極性監視状態（極性監視中）に移行させるとともに、極性監視タイマをセットする（例えば、４秒を使用する）。次に、アナログ回線状態制御手段１１１は、外線の状態が極性監視中に外線回路部１３の極性検出回路１３５からの極性情報を監視し、極性情報の変化があると着信の途中放棄と判断し、外線の状態を外線待機中に移行させる。極性情報に変化がないときは、アナログ回線状態制御手段１１１は、極性監視タイマをマイナス１してタイムアウトしたかを判定し、タイムアウトした場合は、極性検出回路１３５を有する外線回路部１３の接続極性が逆極性接続であると判定し、外線の状態を外線待機中に移行させ、いわゆる無極性接続への対応をおこなう。
【００４７】
発着信衝突防止手段１１２は、アナログ回線状態検制御段１１１が極性情報の変化を検出すると、外線の状態を待機状態（外線待機中）から、外線着信検出中状態（外着検出中）に移行させることにより有効になり、外線の状態が外線待機中以外のときには、この外線回路部を用いた発信を規制（禁止）する。
【００４８】
データ送受信手段１１３は、通常は、他の制御手段より要求されたボタン電話機２０に送信するデータを、内線回路部１５を経由してボタン電話機２０に送信し、また、ボタン電話機２０より送信され内線回路部１５が受信したデータを他の制御手段に渡しているが、断線検知手段１１４より断線表示情報を受け取ると、データ送受信回路１１３を経由してボタン電話機２０へ断線表示情報を送信する。
【００４９】
断線検知手段１１４は、アナログ回線状態制御手段１１１が、外着検出中に一定時間（例えば、着信検出タイマ＝４秒を設定）着信検出ができなかった場合に、外線状態を極性監視中に移行させ、極性監視中に一定時間（例えば、極性監視タイマ＝４秒設定）着信検出がなく、極性情報の変化がなかった場合で、外着検出中に移行したときの極性情報の変化が反転極性情報から通常極性情報への変化であった場合に、アナログ回線が断線したと判定する。断線を検知すると、データ送受信手段１１３を経由してボタン電話機２０の断線表示器３０への断線情報表示指示を出し、ボタン電話主装置１０の断線表示器１７へ断線情報を表示させる制御を行う。
【００５０】
断線通知手段１１５は、断線通知部１８を介して外部機器と通信し、断線検知手段１１４が断線を検知すると、断線通知部１８を経由して外部機器へ断線情報を通知する。断線情報を通知された外部機器（例えば、パーソナルコンピュータ）は、異常が発生（アナログ回線の断線）したことを無線回線（例えば、ＰＨＳ通信カード）経由で監視システムなどへ通報することができる。
【００５１】
着信検出手段１１６は、外線の状態が外着検出中および極性監視中に、外線回路部１３からの着信情報を監視し、着信情報を検出した場合は、外線状態を着信中に移行させ、着信処理手段１１７に引き継ぐ。
【００５２】
着信処理手段１１７は、外線状態が着信中になったら、ボタン電話機２０への着信音送出指示、着信表示指示を出し、ボタン電話機２０を着信状態にする。
【００５３】
次に、図４のフローチャートを用いて本発明に関する各手段における処理の概略を説明する。図４は、本発明に関係する部分を主に図示してある。
【００５４】
ボタン電話主装置１０は、１以上の外線１３−１〜１３−ｎに対する外線状態監視処理を一定周期（例えば、１００ｍＳｅｃ）で順次行っており、図４に示す通り、１回線の処理が終了すると、次外線の処理に移行するが、以下の説明では「次外線の処理」への移行部分については説明を省略し、１回線の外線に対する処理に限定して説明する。
【００５５】
まず、処理の最初に外線の状態を判定する。すなわち、外線待機中か（Ｓ１０１）、外線着信検出中か（Ｓ２０１）、極性監視中か（Ｓ３０１）、を判定し、各状態に応じて次処理に移行し、これらの状態以外の場合は、他の処理（Ｓ４０１）を行う。
【００５６】
外線状態監視処理における外線状態待機中（Ｓ１０１）の場合は、アナログ回線の極性を監視した結果である極性情報の変化の有無を監視し（Ｓ１０２）、極性情報の変化があった（通常極性情報から反転極性情報、または反転極性情報から通常極性情報）場合は、外線の状態を外線着信検出中状態（外着検出中）に移行させ（Ｓ１０３）、着信検出タイマをセットする（Ｓ１０４）。また、図示していないが、アナログ回線の極性の変化が通常極性情報から反転極性情報への変化か、または反転極性情報から通常極性情報への変化かを記憶部１６に記憶しておく。
【００５７】
次いで、外着検出中か否かを判定し（Ｓ２０１）、外着検出中の場合は、着信情報を監視して着信情報を検出したか否かを判断する（Ｓ２０２）。着信情報を検出した場合は、外線の状態を外線着信中に移行させ（Ｓ２０３）、外線着信処理を行う（Ｓ２０４）。Ｓ２０２ステップにおいて、着信情報を検出できない場合は、極性情報を監視し（Ｓ２０５）、極性情報の変化があると着信の途中放棄と判断し、外線の状態を外線待機中に移行させる（Ｓ２１１）。極性情報監視処理（Ｓ２０５）において、極性情報の変化がないときは、着信検出タイマをマイナス１（Ｓ２０６）して、タイムアウトしたかを判定し（Ｓ２０７）、タイムアウトした場合は呼出信号（着信情報）が検出できなかったと判定し、外線の状態を極性監視状態（極性監視中）に移行させる（Ｓ２０８）とともに、極性監視タイマをセットする（Ｓ２０９）。次に、外線が使用できないことを利用者に知らせるため、外線ランプ点灯処理を行う（Ｓ２１０）。
【００５８】
次いで、外線待機中でなく外着検出中でもない状態では、極性監視中か否かを判定し（Ｓ３０１）、極性監視中の場合は、着信情報を監視し（Ｓ３０２）、着信情報を検出した場合は、外線の状態を外線着信中に移行させ（Ｓ３０３）、外線着信処理を行う（Ｓ３０４）。着信情報監視処理（Ｓ３０２）において、着信情報を検出できない場合は、極性情報を監視して極性情報の変化があるか否かを監視し（Ｓ３０５）、極性情報の変化があると着信の途中放棄と判断し、外線の状態を外線待機中に移行させる（Ｓ３１１）とともに、外線ランプの消灯処理を行う（Ｓ３１２）。極性変化監視処理（Ｓ３０５）において、極性情報の変化がないときは、極性監視タイマをマイナス１（Ｓ３０６）してタイムアウトしたかを判定し（Ｓ３０７）、タイムアウトした場合は、断線検知手段１１４における断線検知処理（Ｓ３０８、Ｓ３０９、Ｓ３１３）と、断線通知手段１１５における断線通知処理（Ｓ３１０）を行う。その後、外線の状態を外線待機中に移行させる（Ｓ３１１）とともに、外線ランプの消灯処理（Ｓ３１２）を行い、いわゆる無極性接続への対応を行う。
【００５９】
断線検知手段１１４における断線検知処理は、外着検出中に移行したときのアナログ回線の極性変化が反転極性情報から通常極性情報への変化であったかを判定し（Ｓ３０８）、Ｙｅｓの場合は、アナログ回線が断線したと判定する。断線を検知すると、データ送受信手段１１３を経由してボタン電話機２０の断線表示器３０への断線情報表示指示を出し、ボタン電話主装置１０の断線表示器１７へ断線情報を表示させる制御を行う（Ｓ３０９）。Ｓ３０８ステップでＮｏの場合は、断線が回復したと判定し、データ送受信手段１１３を経由してボタン電話機２０の断線表示器３０への断線情報表示停止指示を出し、ボタン電話主装置１０の断線表示器１７への断線情報表示を停止させる制御を行う（Ｓ３１３）。
【００６０】
以上のように、本発明は、１以上のアナログ回線および複数の内線を有し前記アナログ回線を無極性で接続できる機能を備えたボタン電話主装置と、前記内線に接続される複数のボタン電話機とからなるボタン電話装置のボタン電話主装置に、前記アナログ回線の待機時の接続極性が通常極性か反転極性かを検出する極性検出回路と、前記アナログ回線の待機時の接続極性を初期から逆極性で接続したとき、前記極性検出回路が反転極性から通常極性に変化することを検出すると前記アナログ回線の断線であると判定する断線検知手段と、前記断線検知手段が前記アナログ回線の断線を検知すると断線検知情報を外部に通知する断線通知手段を備えることによって、例えば、このボタン電話装置を用いて監視システムを構成する場合、アナログ回線が切断されたときに、アナログ回線の切断やセンサが検出した検出情報を外部の機器を介して携帯電話などによって、中央の監視部へ通知することができる。
【図面の簡単な説明】
【００６１】
【図１】本発明にかかるボタン電話主装置１０の構成概略図
【図２】本発明にかかるボタン電話機２０の構成概略図
【図３】本発明にかかるボタン電話主装置の中央制御部１１の機能ブロック図
【図４】本発明にかかるボタン電話主装置１０の中央制御部１１における各手段の処理の概略を説明するフローチャート
【図５】ボタン電話主装置１０の外線回路部１３の詳細構成図
【図６】ボタン電話主装置１０の外線回路部１３の極性検出回路４３の概略回路図
【符号の説明】
【００６２】
１０…ボタン電話主装置、１１…中央制御部、１２…通話路スイッチ部、１３…外線回路部、１４…音声ガイダンス送出部、１５…内線回路部、１６…記憶部、１７…断線表示器、１８…断線通知部、２０…ボタン電話機、２１…制御部、２２…データ送受信回路、２３…音声処理部、２４…送受話器、２５…スピーカ、２６…ダイヤルキー、２７…外線キー、２８…機能キー、２９…ＬＣＤ表示器、３０…断線表示器、１１１…アナログ回線状態制御手段、１１２…発着信衝突防止手段、１１３…データ送受信手段、１１４…断線検知手段、１１５…断線通知手段、１１６…着信検出手段、１１７…着信処理手段、１３１…ハイウェイインターフェース回路（Ｉ／Ｆ）、１３２…コーデック回路（ＣＯＤＥＣ）、１３３…２線／４線変換、１３４…発信／着信回路、１３５…極性検出回路。
【図１】
2005150778.tif 000003
【図２】
2005150778.tif 000004
【図３】
2005150778.tif 000005
【図４】
2005150778.tif 000006
【図５】
2005150778.tif 000007
【図６】
2005150778.tif 000008